(57)【要約】【課題】後部音響端子孔からユニット内部に異物が入り込んでも、異音が発生しないようにする。【解決手段】音響電気変換器３の絶縁座３５の回路基板４に対向する対向面に粘着層５を設けて、回路基板４の後部音響端子孔４１から落ちてくる異物（例えば、ハンダボールＳ）を粘着層５で捕らえる。【選択図】図１
2010273242.tif 000002
【特許請求の範囲】
【請求項１】
有底円筒状のユニットケース内に、ダイアフラムリングに張設されている振動板と絶縁座の前部側に支持される固定極とをスペーサリングを介して対向的に配置してなる音響電気変換器と、上記絶縁座の後部側に配置される回路基板とが収納され、上記ユニットケースの上記振動板と対向する面に前部音響端子孔を有し、上記回路基板に後部音響端子孔が設けられている単一指向性コンデンサマイクロホンユニットにおいて、
上記絶縁座の上記回路基板と対向する対向面には、粘着層が設けられていることを特徴とする単一指向性コンデンサマイクロホンユニット。
【請求項２】
上記粘着層は、粘着剤もしくは両面粘着テープが用いられていることを特徴とする請求項１に記載の単一指向性コンデンサマイクロホンユニット。
【請求項３】
上記粘着層は、少なくとも上記後部音響端子孔に対向する位置に設けられていることを特徴とする請求項１または２に記載の単一コンデンサマイクロホンユニット。
【発明の詳細な説明】
【技術分野】
【０００１】
本発明は、単一指向性コンデンサマイクロホンユニットに関し、さらに詳しく言えば、後部音響端子からユニット内部に異物が入り込んでも、異音が発生しないようにする技術に関するものである。
【背景技術】
【０００２】
図３および図４を参照して、単一指向性のコンデンサマイクロホンユニット１（以下、単にマイクロホンユニット１とする）は、有底円筒状のユニットケース２と、静電型の音響電気変換器３と、音響電気変換器３の後部側に配置され、ユニットケース２の開口部を塞ぐ回路基板４とを備えている。
【０００３】
ユニットケース２は、アルミニウムなどの金属材からなり、底部（図３では下部）には、複数の前部音響端子孔２１が設けられている。ユニットケース２の他端（図３では、上端）は開放されており、その開口部から音響電気変換器３が収納される。
【０００４】
音響電気変換器３の後部側（図３では上部側）には、音響電気変換器３から音声信号を得るための回路基板４が設けられている。回路基板４は、ユニットケース２の内周面に沿って円盤状に形成されており、そのユニットケース内面側にはインピーダンス変換器としてのＦＥＴ（電界効果トランジスタ）４３が実装されている。
【０００５】
回路基板４は、ユニットケース２の開口部を塞ぐ蓋部材も兼ねており、ユニットケース２の開口端縁を内側に折り返してかしめることにより、音響電気変換器３とともにユニットケース２内に固定される。
【０００６】
回路基板４には、単一指向性マイクロホンとしての特性上、後部音響端子孔４１が設けられている。後部音響端子孔４１は、回路基板４を貫通する貫通孔であり、音源からの音波が、前部音響端子孔２１と後部音響端子孔４１とからユニットケース２内に音が入り込むことにより、音響電気変換器３は単一指向性として動作する。
【０００７】
図４を併せて参照して、回路基板４の表面（図３では上面、図４の正面）には、ＦＥＴ４３のドレイン電極，ソース電極およびグランド電極等を含む回路パターン４２が形成されており、この回路パターン４２に図示しないマイクケーブルがハンダ付けされる（例えば特許文献１参照）。
【先行技術文献】
【特許文献】
【０００８】
【特許文献１】２００６−７４１４９号公報
【発明の概要】
【発明が解決しようとする課題】
【０００９】
しかしながら、上記従来例の場合、回路基板４にマイクケーブルをハンダ付けする際に、次のような問題が起こり得る。
【００１０】
すなわち、回路基板４にマイクケーブルをハンダ付けする際、ハンダの濡れ性や温度・湿度条件によっては、ハンダボールＳが生成されることがある。ハンダボールＳは、転がりやすく、後部音響端子孔４１を通ってマイクロホンユニット１の内部に入り込んでしまうことがある。
【００１１】
ハンダボールＳがマイクロホンユニット１内に入り込んだ状態で、マイクロホンを動かすと、ハンダボールＳがマイクロホンユニット１の内部で動いて異音を発生したりする。ハンダボールＳは小さいため、一旦入り込んでしまうと、取り出しにくい。
【００１２】
また、ハンダボールＳ以外にも、マイクロホンを使用している間に、粗粒なゴミや埃などが後部音響端子孔４１からマイクロホンユニット１内に入り込んで、それらがマイクロホンの特性等に悪影響を及ぼしかねない。
【００１３】
したがって、本発明の課題は、後部音響端子孔からユニット内部に異物が入り込んでも異音が発生しない単一指向性マイクロホンユニットを提供することにある。
【課題を解決するための手段】
【００１４】
上記課題を解決するため、本発明は、有底円筒状のユニットケース内に、ダイアフラムリングに張設されている振動板と絶縁座の前部側に支持される固定極とをスペーサリングを介して対向的に配置してなる音響電気変換器と、上記絶縁座の後部側に配置される回路基板とが収納され、上記ユニットケースの上記振動板と対向する面に前部音響端子孔を有し、上記回路基板に後部音響端子孔が設けられている単一指向性コンデンサマイクロホンユニットにおいて、上記絶縁座の上記回路基板と対向する対向面には、粘着層が設けられていることを特徴としている。
【００１５】
上記粘着層には、粘着剤もしくは両面粘着テープが用いられてよい。また、上記粘着層は、少なくとも上記後部音響端子孔に対向する位置に設けられていればよい。
【発明の効果】
【００１６】
本発明によれば、後部音響端子孔を通って異物がマイクロホンユニット内部に落ちたとしても、後部音響端子孔に対向する音響電気変換器の対向面に粘着層が設けられていることにより、粘着層で異物を捕捉することができ、異物がマイクロホンユニット内部で動いたり暴れたりすることを確実に防止することができる。
【図面の簡単な説明】
【００１７】
【図１】本発明の実施形態に係るコンデンサマイクロホンユニットの要部断面図。
【図２】上記コンデンサマイクロホンユニットを回路基板側から見た状態の正面図。
【図３】従来のコンデンサマイクロホンユニットの要部断面図。
【図４】従来のコンデンサマイクロホンを回路基板側から見た状態の正面図。
【発明を実施するための形態】
【００１８】
次に、図１および図２により、本発明の実施形態について説明するが、本発明はこれに限定されるものではない。なお、先の図３，図４で説明した上記従来例と同一もしくは同一と見なされる構成要素には、同じ参照符号を付している。
【００１９】
図１を参照して、この単一指向性コンデンサマイクロホンユニット１０（以下、単にマイクロホンユニット１０とする）は、有底円筒状のユニットケース２と、ユニットケース２の内部に沿って配置される静電型の音響電気変換器３と、音響電気変換器３から音声信号を得るための回路基板４とを備えている。
【００２０】
ユニットケース２は、アルミニウム等の金属材からなり、底部（図１では下部）には、前部音響端子孔２１が複数設けられている。ユニットケース２の他端（図３では、上端）は開放されており、その開口部から音響電気変換器３および回路基板４が収納される。
【００２１】
音響電気変換器３は、ユニットケース２の内周面に沿って配置される円筒状の絶縁座３５を有し、絶縁座３５の前部側（図１では下端側）には、振動板３２と固定極３４とがスペーサリング３３を介して対向した状態で配置されている。
【００２２】
回路基板４は、外径がユニットケース２の内径とほぼ同径の円盤状に形成され、音響電気変換器３の後部側（図１では上部側）に配置される。回路基板４のユニットケース内面側には、インピーダンス変換器としてのＦＥＴ（電界効果トランジスタ）４２が実装されている。
【００２３】
この実施形態において、ＦＥＴ４３のゲート４３Ｇは、中継コンタクト３７およびコイルバネ３８を含む導電手段３６を介して固定極３４と電気的に接続されている。
【００２４】
回路基板４は、ユニットケース２の開放端を塞ぐ蓋部材も兼ねており、ユニットケース２の開口端縁を折り返してかしめることにより、音響電気変換器３とともにユニットケース２に固定される。なお、ユニットケース２の開口部に螺合されるロックリングにて固定されてもよい。
【００２５】
回路基板４には、単一指向性マイクロホンとしての特性上、後部音響端子孔４１が設けられている。後部音響端子孔４１は、回路基板４を貫通する貫通孔であり、後部音響端子孔４１を通って音響電気変換器３の背面側に音が入り込む。
【００２６】
後部音響端子孔４１からの音波は、絶縁座３５に穿設されている導音孔３５ａおよび固定極３４に穿設されている導音孔３４ａを介して振動板３２の背面側に作用し、一方、前部音響端子孔２１からの音波は、振動板３２の前面側に作用し、これにより、音響電気変換器３は、単一指向性として動作する。
【００２７】
図２を併せて参照して、回路基板４の表面（図３では上面、図４の正面）には、ＦＥＴ４３のドレイン電極，ソース電極およびグランド電極等を含む回路パターン４２が形成されており、この回路パターン４２に図示しないマイクケーブル（例えば、２芯シールド被覆ケーブル）がハンダ付けされる。
【００２８】
絶縁座３５の後部側（図１では上部側）には、後部音響端子孔４１を通ってマイクロホンユニット１０内に入り込んだ異物（この例では、ハンダボールＳ）を捕捉するための粘着層５が設けられている。
【００２９】
粘着層５は、市販されている粘着剤を絶縁座３５の回路基板４と対向する面に塗布することにより形成されてよく、例えば、ロジモール社製の「光学レンズ内ゴミ除去用粘着剤ＳＩシリーズ」が好ましく採用される。
【００３０】
粘着層５は、少なくとも回路基板４の後部音響端子孔４１に対向する位置に設けられるが、より好ましくは、後部音響端子孔４１の投影面積よりも大きな面積で形成されていることが好ましい。場合によっては、絶縁座３５の後部側の全面に形成されてよい。
【００３１】
これによれば、後部音響端子孔４１を通ってマイクロホンユニット１０内に入り込んだハンダボールＳを粘着層５で捕捉することができ、ハンダボールＳがマイクロホンユニット１０の内で動いて異音を生じることがない。
【００３２】
この例において、粘着層５は、絶縁座３５の後部側に粘着剤を塗布して形成されているが、これ以外に、例えば両面粘着テープを貼り合わせてもよく、これによれば、組立作業工数が削減でき、生産性の向上がはかれる。
【符号の説明】
【００３３】
１，１０  単一指向性コンデンサマイクロホンユニット（マイクロホンユニット）
２  ユニットケース  
２１  前部音響端子孔
３  音響電気変換器
３１  ダイアフラムリング
３２  振動板  
３３  スペーサリング
３４  固定極
３５  絶縁座
４  回路基板  
４１  後部響端子孔
４２  回路パターン
４３  ＦＥＴ
５  粘着層
【図１】
2010273242.tif 000003
【図２】
2010273242.tif 000004
【図３】
2010273242.tif 000005
【図４】
2010273242.tif 000006